(57)【特許請求の範囲】
【請求項１】
記録すべき記録情報を、複数の画像情報を有する映像情報を少なくとも含む複数の部分記録情報に分解し、夫々の部分記録情報に対して所定の信号処理を施して処理部分記録情報として出力すると共に、
前記記録情報の再生時において、前記部分記録情報に含まれ且つ前記複数の画像情報を有する前記映像情報の最後の画像である部分記録情報最終画像を夫々の前記部分記録情報を再生した後に静止画再生する時間を示す静止時間情報を含む付加情報を出力する信号処理手段と、
前記処理部分記録情報と前記付加情報を多重して多重処理記録情報を生成する多重手段と、
前記多重処理記録情報を情報記録媒体に記録する記録手段と、
を備えたことを特徴とする記録装置。
【請求項２】
請求項１に記載の記録装置において、
前記静止時間情報は、予め設定された所定の時間だけ前記部分記録情報最終画像を静止画再生するための時間指定静止時間情報、又は、
前記部分記録情報最終画像の静止画再生を、当該静止画再生時に外部から前記静止画再生を停止するための静止画再生解除信号が入力されるまで継続する無限静止時間情報、の少なくともいずれか一方
を含むことを特徴とする記録装置。
【請求項３】
請求項１又は２に記載の記録装置において、
前記付加情報は、前記処理部分記録情報を更に分割した分割部分記録情報の再生後に当該分割部分記録情報に含まれる最後の画像を静止画再生するための静止指定情報を更に含むことを特徴とする記録装置。
【請求項４】
請求項１から３のいずれか一項に記載の記録装置において、
前記付加情報は、同一の前記部分記録情報に対応すると共に相互に異なる静止画再生する時間を示す複数の前記静止時間情報を含み、
前記多重手段は、前記付加情報を前記情報記録媒体上の前記記録情報が記録される部分とは異なる記録位置であって、前記記録情報の再生に先立って再生される記録位置に記録するべく前記処理記録情報と前記付加情報とを多重することを特徴とする記録装置。
【請求項５】
複数の画像情報を有する映像情報を少なくとも含む複数の部分記録情報に分解されて情報記録媒体に記録されている記録情報を、当該記録情報と共に前記情報記録媒体に記録された付加情報に基づいて再生する再生装置によって再生される前記記録情報が記録された前記情報記録媒体であって、
夫々の前記部分記録情報に対して所定の信号処理を施すことにより生成される処理部分記録情報と、
夫々の前記部分記録情報を再生した後、当該部分記録情報に含まれ且つ前記前記複数の画像情報を有する前記映像情報の最後の画像である部分記録情報最終画像を静止画再生する時間を示す静止時間情報を含む付加情報とが多重された構造を備えることを特徴とする情報記録媒体。
【請求項６】
請求項５に記載の情報記録媒体において、
前記静止時間情報は、予め設定された所定の時間だけ前記部分記録情報最終画像を静止画再生するための時間指定静止時間情報、又は、
前記部分記録情報最終画像の静止画再生を、当該静止画再生時に外部から前記静止画再生を停止するための静止画再生解除信号が入力されるまで継続する無限静止時間情報、の少なくともいずれか一方
を含むことを特徴とする情報記録媒体。
【請求項７】
請求項５又は６に記載の情報記録媒体において、
前記付加情報は、前記処理部分記録情報を更に分割した分割部分記録情報の再生後に当該分割部分記録情報に含まれる最後の画像を静止画再生するための静止指定情報を更に含むことを特徴とする情報記録媒体。
【請求項８】
請求項５から７のいずれか一項に記載の情報記録媒体において、
前記付加情報は、同一の前記部分記録情報に対応すると共に相互に異なる静止画再生する時間を示す複数の前記静止時間情報を含み、
更に、当該付加情報は、前記記録情報の再生時において、当該記録情報の再生に先立って再生される記録位置であって、前記記録情報の記録位置とは異なった前記情報記録媒体上の記録位置に記録されていることを特徴とする情報記録媒体。
【請求項９】
記録情報を、複数の画像情報を有する映像情報を少なくとも含む複数の部分記録情報に分解し、夫々の前記部分記録情報に対して所定の信号処理を施すことにより生成された処理部分記録情報と、夫々の前記部分記録情報を再生した後、当該部分記録情報に含まれ且つ前記複数の画像情報を有する前記映像情報の最後の画像である部分記録情報最終画像を静止画再生する時間を示す静止時間情報を含む付加情報とが多重されて記録されている情報記録媒体から前記記録情報を再生する再生装置であって、
前記情報記録媒体から前記処理部分記録情報及び前記付加情報を検出すると共に復調し、復調信号を出力する検出復調手段と、
前記復調信号から、前記付加情報を抽出する抽出手段と、
前記抽出された付加情報に含まれる前記静止時間情報に基づき、夫々の前記部分記録情報毎に前記部分記録情報最終画像の静止画再生を制御する制御手段と、  を備えたことを特徴とする再生装置。
【請求項１０】
請求項９に記載の再生装置において、
前記付加情報は、前記処理部分記録情報を更に分割した分割部分記録情報の再生後に当該分割部分記録情報に含まれる最後の画像を静止画再生するための静止指定情報を更に含むと共に、
前記制御手段は、前記静止指定情報に基づいて、前記分割部分記録情報毎に当該分割部分記録情報に含まれる最後の画像の静止画再生を制御することを特徴とする再生装置。
【請求項１１】
請求項９又は１０に記載の再生装置において、
前記付加情報は、同一の前記部分記録情報に対応すると共に相互に異なる静止画再生する時間を示す複数の静止時間情報を含み、
更に、当該付加情報は、前記記録情報のうち、前記付加情報以外の記録情報の再生に先立って再生されることを特徴とする再生装置。
【請求項１２】
請求項９から１１のいずれか一項に記載の再生装置であって、
前記静止時間情報は、予め設定された所定の時間だけ前記部分記録情報最終画像を静止画再生するための時間指定静止時間情報、又は、前記部分記録情報最終画像の静止画再生を、外部から当該静止画再生を停止するための静止画再生解除信号が入力されるまで継続する無限静止時間情報、のいずれか一方を含み、
前記制御手段は、前記時間指定静止時間情報又は前記無限静止時間情報に基づいて前記部分記録情報最終画像の静止画再生を制御することを特徴とする再生装置。
【請求項１３】
請求項１２に記載の再生装置であって、
前記静止画再生解除信号を出力する入力手段を更に備えると共に、
前記制御手段は、前記時間指定静止時間情報に基づいて前記部分記録情報最終画像の静止画再生が行われている場合に、前記入力手段から前記静止画再生解除信号が入力されたとき、当該静止画再生解除信号を無効とし、前記無限静止時間情報に基づいて前記部分記録情報最終画像の静止画再生が行われている場合に、前記入力手段から前記静止画再生解除信号が入力されたとき、当該静止画再生解除信号を有効とするように制御することを特徴とする再生装置。
【請求項１４】
請求項１３に記載の再生装置において、
前記制御手段は、前記時間指定静止時間情報に基づいて前記部分記録情報最終画像の静止画再生が行われている場合に、前記入力手段から前記静止画再生解除信号が入力されたとき、当該静止画再生解除信号が無効である旨の表示を行うように制御することを特徴とする再生装置。
【請求項１５】
請求項１３に記載の再生装置において、
前記制御手段は、前記無限静止時間情報に基づいて前記部分記録情報最終画像の静止画再生が行われている場合に、前記入力手段から前記静止画再生信号が入力されたとき、当該静止画再生信号が有効である旨の表示を行うように制御することを特徴とする再生装置。
【発明の詳細な説明】
【０００１】
【発明の属する技術分野】
本発明は、ＤＶＤに代表される映像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【０００２】
【従来の技術】
従来は、映像、音声等の情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
【発明が解決しようとする課題】
しかしながら、上記ＬＤ等においては、例えば、表示されている映像を静止させ静止画として見たいときには、視聴者の意志により一時停止させて静止画として再生することしかできず、記録する情報の製作者（以下、単に製作者という。）の意図に基づいて静止させる等の変化に富んだ再生ができないという問題点があった。
【０００５】
一方、現在、上記従来のＣＤに対して、光ディスク自体の大きさを変えずに記憶容量を約１０倍に向上させた光ディスクであるＤＶＤについての提案や開発が盛んであるが、この場合に、記録する情報の製作者の意図に基づいて静止画再生されることにより変化に富んだ再生を行うことができるような記録情報の記録装置や再生装置については、未だ提案も開発もされておらず、更には記録する情報の製作者の意図に基づいて静止画再生できるようにして変化に富んだ再生を行うことが可能な記録情報の記録装置や再生装置を提供するという課題自体が当業者の間で認識されていないのが現状である。
【０００６】
そこで、本発明は上記問題点に鑑みて成されたもので、その課題は、記録する情報の製作者の意図に基づいて静止画再生でき、変化に富んだ再生ができるように情報を記録するための記録装置及び当該記録装置により情報が記録された情報記録媒体を提供すると共に、当該記録された情報を再生する再生装置を提供することにある。
【０００７】
【課題を解決するための手段】
上記の課題を解決するために、請求項１に記載の発明は、記録すべき記録情報を、複数の画像情報を有する映像情報を少なくとも含む複数の部分記録情報に分解し、夫々の部分記録情報に対してＭＰＥＧ２方式等の所定の信号処理を施して処理部分記録情報として出力すると共に、前記記録情報の再生時において、前記部分記録情報に含まれ且つ前記複数の画像情報を有する前記映像情報の最後の画像である部分記録情報最終画像を夫々の前記部分記録情報を再生した後に静止画再生する時間を示す静止時間情報を含む付加情報を出力する信号処理部等の信号処理手段と、前記処理部分記録情報と前記付加情報を多重して多重処理記録情報を生成するコントローラ、多重器等の多重手段と、前記多重処理記録情報をＤＶＤ等の情報記録媒体に記録するマスタリング装置等の記録手段と、を備えて構成される。
【０００８】
請求項１に記載の発明の作用によれば、信号処理手段は、記録情報を、複数の画像情報を有する映像情報を少なくとも含む複数の部分記録情報に分解し、夫々の部分記録情報に対して所定の信号処理を施して処理部分記録情報として出力すると共に、記録情報の再生時において、部分記録情報最終画像を夫々の部分記録情報を再生した後に静止画再生する時間を示す静止時間情報を含む付加情報を生成して出力する。
【０００９】
そして、多重手段は、処理部分記録情報と付加情報を多重して多重処理記録情報を生成する。
その後、記録手段は、多重処理記録情報を情報記録媒体に記録する。
【００１０】
よって、静止時間情報を含む付加情報が処理部分記録情報と共に記録されるので、記録情報の再生時において、静止時間情報に基づいて部分記録情報最終画像を静止画再生することにより、当該部分記録情報最終画像を動画としても静止画としても再生することができると共に、製作者の意図により部分記録情報毎に静止画再生時間を変化させた静止画再生をすることができる。
【００１１】
上記の課題を解決するために、請求項２に記載の発明は、請求項１に記載の記録装置において、前記静止時間情報は、予め設定された所定の時間だけ前記部分記録情報最終画像を静止画再生するための時間指定静止時間情報、又は、前記部分記録情報最終画像の静止画再生を、当該静止画再生時に外部から前記静止画再生を停止するための静止画再生解除信号が入力されるまで継続する無限静止時間情報の少なくともいずれか一方を含むように構成される。
【００１２】
請求項２に記載の発明の作用によれば、請求項１に記載の発明の作用に加えて、静止時間情報が、時間指定静止時間情報又は無限静止時間情報の少なくともいずれか一方を含んでいるので、夫々の静止時間情報に基づいて再生制御することにより、製作者の意図により時間を指定した静止画再生ができると共に、静止画再生停止が指定されるまで静止画再生を継続することができる。
【００１３】
上記の課題を解決するために、請求項３に記載の発明は、請求項１又は２に記載の記録装置において、前記付加情報は、前記処理部分記録情報を更に分割したＧＯＰ（Group Of Picture）等の分割部分記録情報の再生後に当該分割部分記録情報に含まれる最後の画像を静止画再生するための静止指定情報を更に含むように構成される。
【００１４】
請求項３に記載の発明の作用によれば、請求項１又は２に記載の発明の作用に加えて、付加情報は静止指定情報を更に含んでいるので、製作者の意図により記録情報の再生時に分割部分記録情報毎に静止画再生を行うことができる。
【００１５】
上記の課題を解決するために、請求項４に記載の発明は、請求項１から３のいずれか一項に記載の記録装置において、前記付加情報は、同一の前記部分記録情報に対応すると共に相互に異なる静止画再生する時間を示す複数の前記静止時間情報を含み、前記多重手段は、前記付加情報を前記情報記録媒体上の前記記録情報が記録される部分とは異なる記録位置であって、前記記録情報の再生に先立って再生される記録位置に記録するべく前記処理記録情報と前記付加情報とを多重するように構成される。
【００１６】
請求項４に記載の発明の作用によれば、請求項１から３のいずれか一項に記載の発明の作用に加えて、付加情報は同一の部分記録情報に対応する複数の静止時間情報を含み、多重手段は付加情報を情報記録媒体上の記録情報が記録される部分とは異なる記録位置であって、記録情報の再生に先立って再生される記録位置に記録するべく処理記録情報と付加情報とを多重する。
【００１７】
よって、一の部分記録情報について静止時間情報に対応する数の複数の再生状態で再生させることができ、更に、記録情報の再生に先立ち一括して付加情報に含まれる静止時間情報又は静止指定情報を選択取得できる。
【００１８】
上記の課題を解決するために、請求項５に記載の発明の情報記録媒体は、複数の画像情報を有する映像情報を少なくとも含む複数の部分記録情報に分解されて情報記録媒体に記録されている記録情報を、当該記録情報と共に前記情報記録媒体に記録された付加情報に基づいて再生する再生装置によって再生されるＤＶＤ等の前記情報記録媒体であって、夫々の前記部分記録情報に対してＭＰＥＧ２方式等の所定の信号処理を施すことにより生成される処理部分記録情報と、夫々の前記部分記録情報を再生した後、当該部分記録情報に含まれ且つ前記複数の画像情報を有する前記映像情報の最後の画像である部分記録情報最終画像を静止画再生する時間を示す静止時間情報を含む付加情報とが多重された構造を備えて構成される。
【００１９】
請求項５に記載の発明の情報記録媒体によれば、夫々の部分記録情報に対して所定の信号処理を施すことにより生成される処理部分記録情報と、夫々の部分記録情報を再生した後、部分記録情報最終画像を静止画再生する時間を示す静止時間情報を含む付加情報とが多重された構造を備えているので、記録情報の再生時において、静止時間情報に基づいて部分記録情報最終画像を静止画再生することにより、当該部分記録情報最終画像を動画としても静止画としても再生することができると共に、製作者の意図により部分記録情報毎に静止画再生時間を変化させた静止画再生をすることができる。
【００２０】
上記の課題を解決するために、請求項６に記載の発明の情報記録媒体は、請求項５に記載の情報記録媒体において、前記静止時間情報は、予め設定された所定の時間だけ前記部分記録情報最終画像を静止画再生するための時間指定静止時間情報、又は、前記部分記録情報最終画像の静止画再生を、当該静止画再生時に外部から前記静止画再生を停止するための静止画再生解除信号が入力されるまで継続する無限静止時間情報の少なくともいずれか一方を含むように構成される。
【００２１】
請求項６に記載の発明の情報記録媒体によれば、請求項５に記載の発明の作用に加えて、静止時間情報は時間指定静止時間情報又は無限静止時間情報の少なくともいずれか一方を含んでいるので、夫々の静止時間情報に基づいて再生制御することにより、製作者の意図により時間を指定した静止画再生ができると共に、静止画再生停止が指定されるまで静止画再生を継続することができる。
【００２２】
上記の課題を解決するために、請求項７に記載の発明の情報記録媒体は、請求項５又は６に記載の情報記録媒体において、前記付加情報は、前記処理部分記録情報を更に分割したＧＯＰ等の分割部分記録情報の再生後に当該分割部分記録情報に含まれる最後の画像を静止画再生するための静止指定情報を更に含むように構成される。
【００２３】
請求項７に記載の発明の情報記録媒体によれば、請求項５又は６に記載の発明の作用に加えて、付加情報は静止指定情報を更に含んでいるので、製作者の意図により記録情報の再生時に分割部分記録情報毎に静止画再生を行うことできる。
【００２４】
上記の課題を解決するために、請求項８に記載の発明の情報記録媒体は、請求項５から７のいずれか一項に記載の情報記録媒体において、前記付加情報は同一の前記部分記録情報に対応すると共に相互に異なる静止画再生する時間を示す複数の前記静止時間情報を含み、更に、当該付加情報は、前記記録情報の再生時において、当該記録情報の再生に先立って再生される記録位置であって、前記記録情報の記録位置とは異なった前記情報記録媒体上の記録位置に記録されて構成される。
【００２５】
請求項８に記載の発明の情報記録媒体によれば、請求項５から７のいずれか一項に記載の発明の作用に加えて、付加情報は、同一の部分記録情報に対応すると共に相互に異なる複数の静止時間情報を含み、更に、記録情報の再生時において、当該記録情報の再生に先立って再生される記録位置であって、記録情報の記録位置とは異なった情報記録媒体上の記録位置に記録されているので、一の部分記録情報について静止時間情報に対応する数の複数の再生状態で再生させることができ、更に、記録情報の再生に先立ち一括して付加情報に含まれる静止時間情報又は静止指定情報を選択取得できる。
【００２６】
上記の課題を解決するために、請求項９に記載の発明は、記録情報を、複数の画像情報を有する映像情報を少なくとも含む複数の部分記録情報に分解し、夫々の前記部分記録情報に対してＭＰＥＧ２方式等の所定の信号処理を施すことにより生成された処理部分記録情報と、夫々の前記部分記録情報を再生した後、当該部分記録情報に含まれ且つ前記複数の画像情報を有する前記映像情報の最後の画像である部分記録情報最終画像を静止画再生する時間を示す静止時間情報を含む付加情報とが多重されて記録されているＤＶＤ等の情報記録媒体から前記記録情報を再生する再生装置であって、前記情報記録媒体から前記処理部分記録情報及び前記付加情報を検出すると共に復調し、復調信号を出力するピックアップ、復調訂正部等の検出復調手段と、前記復調信号から、前記付加情報を抽出するシステムバッファ等の抽出手段と、前記抽出された付加情報に含まれる前記静止時間情報に基づき、夫々の前記部分記録情報毎に前記部分記録情報最終画像の静止画再生を制御するシステムコントローラ等の制御手段と、を備えて構成される。
【００２７】
請求項９に記載の発明の作用によれば、検出復調手段は、処理部分記録情報と静止時間情報を含む付加情報とが多重されて記録されている情報記録媒体から処理部分記録情報及び付加情報を検出すると共に復調し、復調信号を出力する。
【００２８】
そして、抽出手段は、復調信号から静止時間情報を含む付加情報を抽出する。その後、制御手段は、抽出された付加情報に含まれる静止時間情報に基づき、夫々の部分記録情報毎に部分記録情報最終画像の静止画再生を制御する。
【００２９】
よって、静止時間情報に基づいて部分記録情報最終画像を静止画再生することにより、当該部分記録情報最終画像を動画としても静止画としても再生することができると共に、製作者の意図により部分記録情報毎に静止画再生時間を変化させた静止画再生をすることができる。
【００３０】
上記の課題を解決するために、請求項１０に記載の発明は、請求項９に記載の再生装置において、前記付加情報は、前記処理部分記録情報を更に分割したＧＯＰ等の分割部分記録情報の再生後に当該分割部分記録情報に含まれる最後の画像を静止画再生するための静止指定情報を更に含むと共に、前記制御手段は、前記静止指定情報に基づいて、前記分割部分記録情報毎に当該分割部分記録情報に含まれる最後の画像の静止画再生を制御するように構成される。
【００３１】
請求項１０に記載の発明の作用によれば、請求項９に記載の発明の作用に加えて、付加情報は静止指定情報を更に含むと共に、制御手段は、静止指定情報に基づいて、分割部分記録情報毎に最後の画像の静止画再生を制御するので、製作者の意図により分割部分記録情報毎に静止画再生を行うことができる。
【００３２】
上記の課題を解決するために、請求項１１に記載の発明は、請求項９又は１０に記載の再生装置において、前記付加情報は、同一の前記部分記録情報に対応すると共に相互に異なる静止画再生する時間を示す複数の静止時間情報を含み、更に、当該付加情報は、前記記録情報のうち前記付加情報以外の記録情報の再生に先立って再生されるように構成される。
【００３３】
請求項１１に記載の発明の作用によれば、請求項９又は１０に記載の発明の作用に加えて、付加情報が同一の部分記録情報に対応する複数の静止時間情報を含むと共に、付加情報以外の記録情報の再生に先立って再生されるので、一の部分記録情報について静止時間情報に対応する数の複数の再生状態で再生させることができ、更に、記録情報の再生に先立ち一括して付加情報に含まれる静止時間情報又は静止指定情報を選択取得できる。
【００３４】
上記の課題を解決するために、請求項１２に記載の発明は、請求項９から１１のいずれか一項に記載の再生装置であって、前記静止時間情報は、予め設定された所定の時間だけ前記部分記録情報最終画像を静止画再生するための時間指定静止時間情報と、前記部分記録情報最終画像の静止画再生を、外部から当該静止画再生を停止するための静止画再生解除信号が入力されるまで継続する無限静止時間情報とを含み、前記制御手段は、前記時間指定静止時間情報又は前記無限静止時間情報に基づいて前記部分記録情報最終画像の静止画再生を制御するように構成される。
【００３５】
上記の課題を解決するために、請求項１２に記載の発明は、請求項９から１１のいずれか一項に記載の再生装置であって、前記静止時間情報は、予め設定された所定の時間だけ前記部分記録情報最終画像を静止画再生するための時間指定静止時間情報、又は、前記部分記録情報最終画像の静止画再生を、外部から当該静止画再生を停止するための静止画再生解除信号が入力されるまで継続する無限静止時間情報の少なくともいずれか一方を含み、前記制御手段は、前記時間指定静止時間情報又は前記無限静止時間情報に基づいて前記部分記録情報最終画像の静止画再生を制御するように構成される。
【００３６】
請求項１２に記載の発明の作用によれば、請求項９から１１のいずれか一項に記載の発明の作用に加えて、静止時間情報は時間指定静止時間情報又は無限静止時間情報の少なくともいずれか一方を含み、制御手段は、時間指定静止時間情報又は無限静止時間情報に基づいて部分記録情報最終画像の静止画再生を制御するので、製作者の意図により時間を指定した静止画再生ができると共に、視聴者により静止画再生停止が指定されるまで静止画再生を継続することができる。
【００３７】
請求項１３に記載の発明の作用によれば、請求項１２に記載の発明の作用に加えて、入力手段は静止画再生解除信号を出力する。
そして、制御手段は時間指定静止時間情報に基づいて部分記録情報最終画像の静止画再生が行われている場合に、静止画再生解除信号が入力されたとき、当該静止画再生解除信号を無効とし、無限静止時間情報に基づいて部分記録情報最終画像の静止画再生が行われている場合に、静止画再生解除信号が入力されたとき、当該静止画再生解除信号を有効とするように制御する。
【００３８】
よって、時間指定静止時間情報に基づいて部分記録情報最終画像の静止画再生が行われている場合には、当該時間指定静止時間情報により指定されている静止画再生時間が不用意に短縮されることを防止できると共に、無限静止時間情報に基づいて部分記録情報最終画像の静止画再生が行われている場合には、視聴者の意図により当該静止画再生を停止することができる。
【００３９】
上記の課題を解決するために、請求項１４に記載の発明は、請求項１３に記載の再生装置において、前記制御手段は、前記時間指定静止時間情報に基づいて前記部分記録情報最終画像の静止画再生が行われている場合に、前記入力手段から前記静止画再生解除信号が入力されたとき、当該静止画再生解除信号が無効である旨の表示を行うように制御するように構成される。
【００４０】
請求項１４に記載の発明の作用によれば、請求項１３に記載の発明の作用に加えて、制御手段は、時間指定静止時間情報に基づいて部分記録情報最終画像の静止画再生が行われている場合に、入力手段から静止画再生解除信号が入力されたとき、当該静止画再生解除信号が無効である旨の表示を行うので、当該場合に、静止画再生解除を示す静止画再生解除信号が無効であったことを認識することができる。
【００４１】
上記の課題を解決するために、請求項１５に記載の発明は、請求項１３に記載の再生装置において、前記制御手段は、前記無限静止時間情報に基づいて前記部分記録情報最終画像の静止画再生が行われている場合に、前記入力手段から前記静止画再生信号が入力されたとき、当該静止画再生信号が有効である旨の表示を行うように制御するように構成される。
【００４２】
請求項１５に記載の発明の作用によれば、請求項１３に記載の発明の作用に加えて、制御手段は、無限静止時間情報に基づいて部分記録情報最終画像の静止画再生が行われている場合に、入力手段から静止画再生信号が入力されたとき、当該静止画再生信号が有効である旨の表示を行うので、当該場合に、静止画再生解除を示す静止画再生解除信号が有効であったことを認識することができる。
【００４３】
【発明の実施の形態】
次に、本発明に好適な実施の形態について説明する。なお、以下に説明する実施の形態は、上記ＤＶＤに対して本発明を適用した実施の形態について説明するものである。
【００４４】
なお、以下の実施の形態においては、下記リストの左側に示した特許請求の範囲における各構成要素の一例が、下記リストの右側に示した要素から夫々構成されている。
【００４５】
分割部分記録情報……：ＧＯＰ
部分記録情報…………：セルを構成すべき所定の処理前のビデオデータ等の実体部分
処理部分記録情報……：セルからナビパックを除いたビデオデータ等の実体部分
静止時間情報…………：静止時間指定情報
時間指定静止時間情報：静止時間指定情報
無限静止時間情報……：静止時間指定情報
静止指定情報…………：再生制御情報
静止画再生解除信号…：解除信号
（Ｉ）情報記録媒体の実施の形態
始めに、請求項５乃至８に記載の発明に対応する情報記録媒体の実施の一形態であるＤＶＤの物理的及び論理的な構成並びにその動作について、図１乃至図６用いて説明する。
【００４６】
始めに、映像情報及び音声情報（音楽情報を含む。以下、同じ）のＤＶＤ上における記録フォーマット（物理的記録フォーマット）について、図１を用いて説明する。
【００４７】
図１に示すように、実施形態のＤＶＤ１は、その最内周部にリードインエリアＬＩを有すると共にその最外周部にリードアウトエリアＬＯを有しており、その間に、映像情報及び音声情報が混在しつつ、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set ）とは、関連する（音声情報又は副映像情報の数、又は仕様若しくは対応言語等の属性が同じ）タイトル（映画等の、製作者が視聴者に提示しようとする一つの作品）を一まとめにしたセット（まとまり）であり、より具体的には、例えば、一本の同じ映画について、異なる言語で台詞が入っているの複数の映画が夫々にタイトルとして記録されたり、又は同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００４８】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００４９】
ＶＴＳ３の先頭に記録されるコントロールデータ１１には、複数のセル（セルについては後述する。）を組合わせた論理的区分であるプログラムを含むプログラムチェインに関する種々の制御情報を含む後述のＰＧＣＩ（Program Chain Information ）等の情報が記録される。また、各ＶＯＢ１０には、制御情報の他に映像情報及び音声情報の実体部分（制御情報以外の映像又は音声そのもの）が記録されている。
【００５０】
更に、一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００５１】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００５２】
そして、一のＶＯＢユニット３０は、ＶＯＢゆにっと３０に含まれている映像情報等を制御対象とする制御情報が格納されているナビパック４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。これらのビデオデータ４２、オーディオデータ４３及びサブピクチャデータ４４は、夫々が一まとめに記録されているのではなく、図１に示すように、夫々が複数に分割されてＶＯＢユニット内に記録される。
【００５３】
なお、ＤＶＤ１に記録可能な音声は８種類であり、記録可能な副映像の種類は３２種類であることが規格上定められている。
また、一のＶＯＢユニット３０に対応する再生時間（一のナビパック４１と当該ナビパック４１に隣接するナビパック４１との間に記録されているデータに対応する再生時間）は、０．４秒以上の長さを有するように記録される。
【００５４】
更に、一にＶＯＢユニット３０において、ナビパック４１は必ずその先頭に存在するが、ビデオデータ４２、オーディオデータ４３及びサブピクチャデータ４４の夫々は必ずしもＶＯＢユニット３０中に存在する必要はなく、また、存在する場合でもその数や順序は任意である。
【００５５】
ここで、図１に示すビデオデータ４２、オーディオデータ４３及びサブピクチャデータ４４の夫々の区分を一般にパックＰという。すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。そして、これらのパックＰは、ＤＶＤ１上に記録情報を記録する際に用いられる後述のＭＰＥＧ２方式に基づいて設定される記録単位であり、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報や、パックＰの開始であることを示すスタートコード等が記録される。また、上記各パックＰについては、通常、当該パックＰを更に細分化した記録単位であるパケット毎にビデオデータ４２、オーディオデータ４３及びサブピクチャデータ４４が記録されるが、本実施の形態におけるＤＶＤ１では、一般に一のパックＰが一のパケットにより構成されている。
【００５６】
最後に、ナビパック４１は、表示させたい映像又は出力させたい音声を検索するための検索情報（具体的には、当該表示させたい映像又は出力させたい音声が記録されているＤＶＤ１上のアドレス等）であるＤＳＩ（Data Search Information ）データ５１と、ＤＳＩデータ５１に基づいて検索してきた映像又は音声を表示する際の表示制御に関する情報であるＰＣＩ（Presentation Control Information）データ５０とにより構成される。このとき、ＤＳＩデータ５１及びＰＣＩデータ５０は、夫々パケットＰＴに対応するＤＳＩパケット及びＰＣＩパケットを構成して記録される。
【００５７】
更に、一のＶＯＢユニット３０に含まれる全てのビデオデータ４２は、一又は複数のＧＯＰ（Group Of Picture）により構成されている。
なお、ＰＣＩデータ５０には、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、選択された項目に対する画面表示の変化や当該選択に対応して変化すべき表示位置及び選択した項目に対応するコマンド（選択された項目に対応して実行される動作を示す命令）の設定が行われる。
【００５８】
ここで、メニュー画面を構成して表示するために必要な、枠、選択ボタン等を構成して表示するための映像情報は、上記の副映像情報であるサブピクチャデータ４４として記録される。
【００５９】
更に、上記ＧＯＰは、本実施の形態におけるＤＶＤ１に映像情報を記録する際に採用されている画像圧縮方式であるＭＰＥＧ２（Moving Picture Experts Group  ２）方式の規格において定められている単独で再生可能な最小の画像単位である。
【００６０】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、映像の圧縮記録が可能となるのである。
【００６１】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture ：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成する予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。また、実際に画像として表示する際には、図２に示すピクチャから夫々に一のフレーム画像が形成される。
なお、本実施形態におけるＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００６２】
以上説明した図１に示す階層構造の記録フォーマットにおいて、夫々の区分は、製作者がその意図に応じて自在に区分設定をして記録させることができる。これらの区分毎に後述の論理構造に基づいて再生することにより、変化に富んだ種々の再生が可能となるのである。
【００６３】
次に、図１に示す物理的な区分により記録された情報を組合わせた論理的フォーマット（論理構造）について、図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【００６４】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。
【００６５】
なお、一又は複数のプログラム６０を纏めたものを、視聴者が自由に選択して視聴することができる最小単位として製作者が定義することもできるが、この単位をＰＴＴ（Part Of Title ）という。
【００６６】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００６７】
ここで、一のセル２０の番号については、当該セル２０を図１に示す物理フォーマットにおいて取り扱う際にはセルＩＤ番号として扱われ（図１中、セルＩＤ＃と示す。）、図３に示す論理フォーマットにおいて取り扱う際には、後述のＰＧＣＩ中の記述順にセル番号として扱われる。
【００６８】
次に、複数のプログラム６０を組合わせて一のＰＧＣ（Program Chain ）６１が製作者の意図に基づいて論理上構成される。このＰＧＣ６１の単位で、前述したＰＧＣＩ６４が定義され、当該ＰＧＣＩ６４には、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［（本実施形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ、又はループ再生とランダム再生又はシャッフル再生の組合わせによる再生方法をＰＧＣ６１毎に製作者が選択して再生させるようにすることができる。］、本発明の特徴である後述の静止画再生制御情報及び各種コマンド（ＰＧＣ６１又はセル２０毎に製作者が指定可能な再生順序等のコマンド）が含まれている。なお、ＰＧＣＩ６４のＤＶＤ１上の記録位置は、上述の通り、コントロールデータ１１内であるが、当該ＰＧＣＩ６４がビデオマネージャ２内のメニューに関するＰＧＣＩ６４である場合には、当該ＰＧＣＩ６４の記録位置はビデオマネージャ２に含まれるコントロールデータ（図示を省略する。）内である。
【００６９】
また、一のＰＧＣ６１には、上記ＰＧＣＩ６４の他に、実体的な映像及び音声等のデータがプログラム６０の組合わせとして（換言すれば、セル２０の組合わせとして）含まれることとなる。
【００７０】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００７１】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００７２】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図３に示す一のＶＴＳ６３に相当する情報は、図１に示す一のＶＴＳ３に含まれている情報に対応している。すなわち、ＤＶＤ１には、図３に示す論理上のＶＴＳ６３内に含まれる全ての情報が一のＶＴＳ３として記録されていることとなる。
【００７３】
以上説明した論理フォーマットに基づいて、物理構造において区分された情報を製作者が指定することにより、視聴者が見るべき映像（映画等）が形成されるのである。
【００７４】
ここで、上述の静止画再生制御情報が含まれているＰＧＣＩ６４の構成について図４及び図５を用いて説明する。
図４に示すように、ＰＧＣＩ６４には、当該ＰＧＣＩ６４に含まれている各制御情報に対応するプログラム６０に含まれているセル２０毎の再生を制御するためのセルインフォメーション６５が、当該ＰＧＣ６１に含まれているセル２０の数に対応した数だけ含まれている。そして、各セルインフォメーション６５は、再生時に、セル２０単位で、当該セル２０を再生した後、そのセル２０の最終フレームの画像を静止画再生するための上記静止画再生情報を備えている。この静止画再生情報は、実際には、セル２０毎にセルインフォメーション６５に記述されているものであるが、それらを一のＰＧＣ６１毎に纏めると、図５に示すようになる。
【００７５】
すなわち、図５に示すように、一のＰＧＣ６１に対応する静止画再生情報６６は、そのＰＧＣ６１に論理上含まれるセル２０の数（ｎ）を示すセル数データ６６Ａと、各セル２０が記録されているＤＶＤ１上の先頭アドレスを示す各セル２０毎のセル先頭アドレスデータ６６Ｂと、各セル２０の大きさ（夫々のセル２０に含まれるデータ量）を示す各セル２０毎のセルサイズデータ６６Ｃと、各セル２０に含まれている映像情報又は音声情報を再生する際に連続して再生するか、又は各セル２０を構成するＧＯＰ５２単位で自動的に静止画再生に移行するかを示す各セル２０毎のセル再生制御情報データ６６Ｄと、各セル２０に含まれている映像情報又は音声情報を再生後にその最終映像で静止画再生する際の静止画再生時間を示す各セル２０毎の静止時間指定情報データ６６Ｅとにより構成されている。
【００７６】
このうち、セル再生制御情報データ６６Ｄは、夫々例えば１ビットのフラグからなり、対応するセル２０内で連続して再生するか、又は、当該セル２０を構成するＧＯＰ５２毎に再生を一時停止して当該ＧＯＰ５２毎に静止画するか否かを示す情報である。そして、そのフラグの意味は、例えば、以下の通りである。
【００７７】
フラグ「０」：対応するセル２０内で連続して再生する。
フラグ「１」：対応するセル２０内に含まれるＧＯＰ５２毎に再生を一時中断して静止画再生する。
【００７８】
なお、上記フラグ「１」においては、静止画再生する時間は指定されておらず、視聴者が一時停止（静止画再生）を中断する解除信号を入力するまで静止画再生が継続される。また、上記フラグ「１」においては各ＶＯＢユニット３０毎に静止画再生するように定義することもできる。
【００７９】
次に、静止時間指定情報データ６６Ｅは、夫々例えば１バイトの情報からなり、対応するセル２０の再生を終了した時点でその最終画像を一時停止し、次の再生すべきセル２０を再生するまでの一定時間静止画再生するべく、当該一定時間の値が記述される。より具体的には、例えば以下のように定義された情報が記述されている。
【００８０】
0003729920.tif 000002
【００８１】
0003729920.tif 000003
【００８２】
このように定義することにより、静止時間指定情報「０」で示されるセル２０においては、その最終画像は動画として再生されるのであり、静止時間指定情報「１」〜「２５５」で示されるセル２０においては、その最終画像は静止画として再生されることとなる。
【００８３】
以上説明した静止画再生情報６６を映像情報及び音声情報の実体部分とは異なる位置であるＰＧＣＩ６４内に記録することにより、再生時に、特に、セル再生制御情報データ６６Ｄ及び静止時間指定情報データ６６Ｅに基づく後述の再生装置の動作により、製作者の意図する任意の位置で静止画再生を行うことができる。
【００８４】
なお、図５に示す静止画再生情報６６は、一のセル２０に対して静止画再生情報６６が一のみ記述される他に、一のセル２０に対して複数の静止画再生情報６６を記述することもできる。この場合には、後述の再生装置において、一のセル２０に対して複数種類の静止画再生の態様が可能となる。
【００８５】
ここで、図１に示す物理構造の説明においては、内容の理解の容易化のため、複数のセル２０がＩＤ番号の順に記録されているとして説明したが、実施形態のＤＶＤ１においては、実際には、一のセル２０が図６に示す複数のインターリーブドユニットＩＵに分割されて記録される場合がある。
【００８６】
すなわち、例えば図６に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に纏まって相互に分離して記録されていると、例えば、ＰＧＣ６１Ａの場合には、ＩＤ番号２のセル２０のＤＶＤ１上の記録位置からＩＤ番号４のセル２０のＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００８７】
そこで、図６に示す場合には、ＩＤ番号２のセル２０とＩＤ番号３のセル２０を、上記トラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００８８】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００８９】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００９０】
以上説明したような種々の階層の情報を記録する必要があるため、上述の記録フォーマットを有する情報は、上記ＤＶＤ１のように、一本の映画を記録する他に当該映画に対応する音声や字幕について、複数種類の言語の音声又は字幕をも一の光ディスクに記録することが可能な大きな記録容量を有する情報記録媒体に特に適している。
（II）記録装置の実施形態
次に、上述の制御情報、映像情報及び音声情報等をＤＶＤ１に記録するための請求項１乃至４に記載の発明に対応する記録装置の実施形態について、図７を用いて説明する。
【００９１】
図７に示すように、実施形態に係る記録装置Ｓ1 は、ＶＴＲ（Video Tape Recorder ）７０と、メモリ７１と、信号処理手段としての信号処理部７２と、ハードディスク装置７３及び７４と、多重手段としてのコントローラ７５と、多重手段としての多重器７６と、変調器７７と、記録手段としてのマスタリング装置７８とにより構成されている。
【００９２】
次に、動作を説明する。
ＶＴＲ７０には、ＤＶＤ１に記録すべき音声情報や映像情報等の素材である記録情報Ｒ（上記ビデオデータ４２、サブピクチャデータ４４及びオーディオデータ４３を含む。）が一時的に記録されている。そして、ＶＴＲ７０に一時的に記録された記録情報Ｒは、信号処理部７２からの要求により当該信号処理部７２に出力される。
【００９３】
信号処理部７２は、ＶＴＲ１から出力された記録情報Ｒを例えばＡ／Ｄ変換した後、ＭＰＥＧ２方式により圧縮処理し、音声情報と映像情報とを時間軸多重して圧縮多重信号Ｓr として出力する。その後、出力された圧縮多重信号Ｓr は、ハードディスク装置７３に一時的に記憶される。
【００９４】
これらと並行して、メモリ７１は、上記記録情報Ｒを図１に示す物理構造上のセル２０、ＶＯＢユニット３０等の情報単位に予め区分し、それぞれの情報単位毎の図５に示す静止画再生情報６６を含む各制御情報等の付加情報（図１における、ビデオマネージャ２、ＰＧＣＩ６４を含むコントロールデータ１１、ナビパック４１（ＰＣＩデータ５０及びＤＳＩデータ５１）等）が記載されたキューシートＳＴに基づいて予め入力された上記各制御情報を一時的に記憶し、信号処理部７２からの要求に基づいて制御情報信号Ｓi として出力する。
【００９５】
そして、信号処理部７２は、ＶＴＲ７０から出力される上記記録情報Ｒに対応したタイムコードＴt 及びメモリ７１から出力される制御情報信号Ｓi に基づき、タイムコードＴt を参照して上記各情報単位に対応するコントロールデータ１１を含む再生制御情報信号Ｓacを生成して出力し、当該再生制御情報信号Ｓacがハードディスク装置７４に一時的に記憶される。このとき、コントロールデータ１１以外のメモリ７１に記憶されている制御情報については、図７においては図示を省略しているが、コントロールデータ１１と同様に信号処理部７２において生成され、ハードディスク装置７４に記憶される。
【００９６】
以上の処理が記録情報Ｒ全体について実行される。
記録情報Ｒの全てについて上記の処理が終了すると、コントローラ７５は、ハードディスク装置７３から圧縮多重信号Ｓr を読み出すとともにハードディスク装置７４から再生制御情報信号Ｓacを読み出し、これらに基づいて再度制御情報を生成し、ハードディスク装置７４に一時的に再記憶する。これは、各種制御情報中には圧縮多重信号Ｓr の生成結果によって内容が定まるものがあるからである。
【００９７】
一方、コントローラ７５は、上記信号処理部７２、ハードディスク装置７３及び７４の夫々の動作の時間管理を行い、コントロールデータ１１を含む再生制御情報信号Ｓacをハードディスク装置７４から読み出して付加情報信号Ｓa としＴて出力すると共に、圧縮多重信号Ｓr と付加情報信号Ｓa を時間軸多重するための情報選択信号Ｓccを生成して出力する。
【００９８】
その後、圧縮多重信号Ｓr （ビデオデータ４２、サブピクチャデータ４４及びオーディオデータ４３をストリーム毎に夫々含んでいる。）  と付加情報信号Ｓa は、コントローラ７５からの情報選択信号Ｓccに基づき、ハードディスク装置７３及び７４から読み出されて多重器７６により時間軸多重され、情報付加圧縮多重信号Ｓapとして出力される。この情報付加圧縮多重信号Ｓapの段階では、記録情報Ｒは、図１に示す夫々の物理構造を備えていると共に、静止画再生情報６６が対応するＰＧＣＩ６４内に含まれていることとなる。また、このＰＧＣＩ６４を含むコントロールデータ１１は、各ＶＴＳ３毎に、ＶＯＢ１０が記録されるＤＶＤ１上の当該ＶＯＢ１０が記録される記録位置の内周側に記録されるように多重されている。
【００９９】
なお、記録すべき記録情報の中に副映像情報が存在する場合には、図示しない他のハードディスク装置から読み出されて信号処理部７２に入力され、映像情報及び音声情報と同様に処理され、情報付加圧縮多重信号Ｓapに含まれる。
【０１００】
そして、変調器７７は、出力された情報付加圧縮多重信号Ｓapに対してリードソロモン符号等のエラー訂正コード（ＥＣＣ）の付加及び８−１６変調等の変調を施してディスク記録信号Ｓm を生成し、マスタリング装置７８に出力する。
【０１０１】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【０１０２】
以上説明した記録装置Ｓ1 によれば、各セル２０又はＧＯＰ５２毎の静止画再生を制御する静止画再生情報６６がＰＧＣＩ６４に記録されるので、記録情報Ｒの再生時において、静止画再生情報６６に基づいてセル２０の最終画像を静止画再生することにより、セル２０に含まれる当該最終画像を動画としても静止画としても再生することができると共に、セル２０毎に静止画再生時間を変化させた静止画再生をすることができる。
【０１０３】
また、静止時間指定情報データ６６Ｅが、静止時間が指定された静止時間指定情報と静止時間が指定されない静止時間指定情報とを含んでいるので、夫々の静止時間指定情報データ６６Ｅに基づいて再生制御することにより、時間を指定した静止画再生ができると共に、静止画再生停止が指定されるまで静止画再生を継続することができる。
【０１０４】
更に、静止画再生情報６６はセル再生制御情報データ６６Ｄを更に含んでいるので、記録情報Ｒの再生時にＧＯＰ５２毎に静止画再生を行うことができる。
更にまた、多重器７６が静止画再生情報６６をＤＶＤ１上の記録情報Ｒが記録される部分とは異なる記録位置であって、記録情報の再生に先立って再生される記録位置、すなわち、ＤＶＤ１の内周部に記録するべく圧縮多重信号Ｓr と静止画再生情報６６とを多重するので、記録情報Ｒの再生に先立ち一括して静止画再生情報６６に含まれるセル再生制御情報データ６６Ｄ又は静止時間指定情報データ６６Ｅを取得できる。
【０１０５】
また、一のセル２０に対して複数の静止画再生情報６６が定義されている場合には、後述の再生装置において、一のセル２０に対して複数種類の静止画再生の態様が可能となる。
（III ）再生装置の実施形態
次に、上記の記録装置Ｓ1 によりＤＶＤ１に記録された情報を再生するための請求項９乃至１５に記載の発明に対応する再生装置の実施形態を、図８乃至図１１を用いて説明する。
【０１０６】
始めに、図８を用いて、実施形態の再生装置の構成及び動作について説明する。
図８に示すように、実施形態に係る再生装置Ｓ2 は、検出復調手段としてのピックアップ８０と、検出復調手段としての復調訂正部８１と、ストリームスイッチ８２及び８４と、トラックバッファ８３と、抽出手段としてのシステムバッファ８５と、デマルチプレクサ８６と、ＶＢＶ（Video Buffer Verifier ）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力手段としての入力部９８と、ディスプレイ９９と、制御手段としてのシステムコントローラ１００と、ドライブコントローラ１０１と、スピンドルモータ１０２と、スライダモータ１０３とにより構成されている。なお、図８に示す構成は、再生装置Ｓ2 の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１０７】
また、入力部９８には、再生時において、いわゆるスティル再生（動画再生中の画像を一時停止させて静止画再生させる。）のためのスティルキー９８Ａと、いわゆるポーズ再生（再生自体を一時停止させ、画像を表示しない（より具体的には、図示しない表示部に映像信号Ｓvpを出力しない）。）のためのポーズキー９８Ｂとを備えている。
【０１０８】
次に、全体動作を説明する。
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１０９】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。
【０１１０】
復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１１１】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【０１１２】
連続的に復調信号Ｓdmが入力されるストリームスイッチ８４は、デマルチプレクサ８６における分離処理において、後段の各バッファがオーバーフローしたり、逆に空になってデコード処理が中断することがないように、システムコントローラ１００からのスイッチ信号Ｓsw2 により開閉が制御される。
【０１１３】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報又はＶＴＳ３の静止画再生情報６６（図５参照）を含むコントロールデータ１１等の付加情報を蓄積して制御情報Ｓc としてシステムコントローラ１００に出力すると共に、情報再生中に必要に応じて上記ナビパック４１毎のＤＳＩデータ５１を一時的に蓄積し、システムコントローラ１００に制御情報Ｓc として出力する。
【０１１４】
ストリームスイッチ８４を介して復調信号Ｓdmが連続的に入力されたデマルチプレクサ８６においては、当該復調信号Ｓdmからビデオデータ４２、オーディオデータ４３、サブピクチャデータ４４及びナビパック４１毎のＰＣＩデータ５０を分離し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、オーディオデータ４３又はサブピクチャデータ４４として複数の言語が異なるストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１１５】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ（図２参照）毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。
【０１１６】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する映像情報と同期して出力するためのものである。そして、映像情報との同期が取られた副映像信号Ｓspがサブピクチャデコーダ９０に入力され、復調が行われて復調副映像信号Ｓspd として混合器９１に出力される。
【０１１７】
なお、副映像信号Ｓspが、上記のメニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１１８】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき映像信号Ｓvpとして図示しないＣＲＴ（Cathod Ray Tube ）等の表示部に出力される。
【０１１９】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓadd として図示しないスピーカ等に出力される。なお、アクセス直後の再生等で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓadd の出力を停止する。
【０１２０】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３、サブピクチャデータ４４等とを同期させ、当該ビデオデータ４２、オーディオデータ４３、サブピクチャデータ４４等にＰＣＩデータ５０を適用させるためのものである。そして、ＰＣＩバッファ９４により対応するビデオデータ４２、オーディオデータ４３、サブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpci としてシステムコントローラ１００に出力される。
【０１２１】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のためのサブピクチャデータ４４が含まれている副映像信号Ｓspに対応して、ハイライト情報に対応する選択項目の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。ここで、システムコントローラ１００は、当該復調ハイライト信号Ｓhid に基づき、ハイライト情報による表示状態の変更を行うべく、上記のハイライト制御信号Ｓchを出力することとなる。
【０１２２】
システムコントローラ１００は、システムバッファ８５から入力される付加情報を含む制御情報Ｓc 、ＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 、ストリーム選択信号Ｓlc、ポーズ信号Ｓca、ハイライト制御信号Ｓchを出力すると共に、再生装置Ｓ2 の動作状況等を表示するために表示信号Ｓdpを液晶表示装置等のディスプレイ９９に出力する。なお、入力部９８のスティルキー９８Ａ又はポーズキー９８Ｂから、夫々、スティル再生又はポーズ再生を実行する旨の入力信号Ｓinが入力されたときには、システムコントローラ１００は後述（図１０又は図１１参照）の夫々の動作を行う。
【０１２３】
更に、システムコントローラ１００は、上記制御信号Ｓc 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【０１２４】
そして、シームレス制御信号Ｓcsl が入力されたドライブコントローラ１０１は、スピンドルモータ１０２又はスライダモータ１０３に対して駆動信号Ｓd を出力する。この駆動信号Ｓd により、スピンドルモータ１０２又はスライダモータ１０３は、光ビームＢが再生すべきＤＶＤ１上の記録位置に照射されるようにピックアップ２を移動させる（図８破線矢印参照）と共に、ＤＶＤ１の回転数をＣＬＶ（Constant Linear Velocity：線速度一定）制御する。これと並行して、ドライブコントローラ１０１は、ピックアップ２が移動中であり復調訂正部８１から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【０１２５】
次に、上記再生装置Ｓ2 の内、特に本発明に係る静止画再生の動作について、特にシステムコントローラ１００における処理を中心として図９に示すフローチャートに基づいて説明する。
【０１２６】
図９に示すように、実施形態の再生装置Ｓ2 における静止画再生情報６６を用いた静止画再生においては、始めに、ＤＶＤ１が挿入され、再生が開始されると（ステップＳ１）、視聴者は、ビデオマネージャ２に記録されている初期メニュー等により再生すべきＶＴＳ３を選択し、これにより、当該再生すべきＶＴＳ３に対応する静止画再生情報６６等の制御情報を含む付加情報を選択する（ステップＳ２）。
【０１２７】
その後、システムコントローラ１００は、システムバッファ８５を介して選択された付加情報を読み込む（ステップＳ３）。このとき、上述のように、一のセル２０に対して複数の静止画再生情報６６が記録されているときは、視聴者が選択したＶＴＳ３に対応する静止画再生情報６６が自動的に選択されることとなる。このとき、ＶＴＳ３に対応する静止画再生情報６６を自動的に選択するように構成する他に、複数の静止画再生情報６６に対応する複数の静止画再生に関するメニュー画面等を視聴者に提示し、それを視聴者が選択するようにして一の静止画再生情報６６を選択するようにしてもよい。
【０１２８】
ステップＳ３において付加情報が読み込まれると、次に、選択されたＶＴＳ３（ステップＳ２）に含まれるセル２０の番号を示すパラメータを「１」とする（ステップＳ４）。
【０１２９】
そして、読み込まれた静止画再生情報６６における対応するセル２０のセル再生制御情報データ６６Ｄを検出し、それが「１」であるか否かを判定する（ステップＳ５）。
【０１３０】
セル２０のセル再生制御情報データ６６Ｄが「１」である場合には（ステップＳ５；ＹＥＳ）、当該セル２０に含まれる各ＧＯＰ５２毎に一時停止して静止画再生するとして最初のＧＯＰ５２を再生してその後静止画再生させる（ステップＳ６）。そして、入力部９８のスティルキー９８Ａ又はポーズキー９８Ｂから静止画再生を停止する解除信号を含む入力信号Ｓinが入力されたか否かを判定し（ステップＳ７）、入力されない場合には（ステップＳ７；ＮＯ）そのまま静止画再生を継続し、入力された場合には（ステップＳ７；ＹＥＳ）ＧＯＰ５２を一つだけインクリメントし（ステップＳ８）、次に、再生したＧＯＰ５２が含まれるセル２０全体の再生が完了したか否かが判定され（ステップＳ９）、未だセル２０全体の再生が完了していないときには（ステップＳ９；ＮＯ）インクリメントしたＧＯＰ５２に対して上記ステップＳ６乃至Ｓ９の処理を行うべくステップＳ６に戻る。
【０１３１】
ここで、ステップＳ５における判定において、セル２０のセル再生制御情報データ６６Ｄが「１」でない場合には（ステップＳ５；ＮＯ）、ＧＯＰ５２毎の静止画再生は行わないとしてそのままセル２０内を連続再生し（ステップＳ１０）、ステップＳ１１に移行する。
【０１３２】
一方、ステップＳ９における判定において、セル２０の再生が終了しているときには（ステップＳ９；ＹＥＳ）、次に、セル番号「１」のセル２０に対応する静止画再生情報６６内の静止時間指定情報データ６６Ｅを検出し、それが「０」であるか否かが判定される（ステップＳ１１）。そして、静止時間指定情報データ６６Ｅが「０」である場合には（ステップＳ１１；ＹＥＳ）、そのセル２０では最終画像の静止画再生を行わないとしてステップＳ１５に移行する。
【０１３３】
一方、静止時間指定情報データ６６Ｅが「０」でない場合には（ステップＳ１１；ＮＯ）、次に、静止時間指定情報データ６６Ｅが「２５５」であるか否かが判定される（ステップＳ１２）。そして、静止時間指定情報データ６６Ｅが「２５５」でない場合には（ステップＳ１２；ＮＯ）、当該静止時間指定情報データ６６Ｅに指定されている時間だけセル２０の再生後その最終画像を静止画再生するとして当該指定時間だけ静止画再生し（ステップＳ１３）、ステップＳ１５に移行する。
また、ステップＳ１２における判定において、静止時間指定情報データ６６Ｅが「２５５」である場合には（ステップＳ１２；ＹＥＳ）、入力部９８から静止画再生を停止する解除信号を含む入力信号Ｓinが入力されるまでセル２０の最終画像の静止画再生を継続すべく、解除信号を含む入力信号Ｓinが入力されたか否かを判定し（ステップＳ１４）、入力されていないときには（ステップＳ１４；ＮＯ）入力されるまでセル２０の最終画像の静止画再生を継続し、解除信号を含む入力信号Ｓinが入力されたときには（ステップＳ１４；ＹＥＳ）静止画再生を終了してセル番号を示すパラメータを「１」だけインクリメントする（ステップＳ１５）。そして、当該静止画再生情報６６に含まれる全セル２０についての処理が終了したか否かが判定され（ステップＳ１６）、終了していないときには（ステップＳ１６；ＮＯ）インクリメントされたセル番号に対応するセル２０に対して上記ステップＳ５以降の処理を繰返すべくステップＳ５に戻り、全セル２０についての処理が終了したときには（ステップＳ１６；ＹＥＳ）それらのセル２０を含むＶＴＳ３の再生処理を終了する。
【０１３４】
以上の再生装置Ｓ2 における静止画再生情報６６を用いた動作によれば、各セル２０又はＧＯＰ５２毎の静止画再生を制御する静止画再生情報６６がＰＧＣＩ６４に記録されるので、静止画再生情報６６に基づいて製作者の意図するときにセル２０の最終画像を静止画再生することにより、セル２０毎に静止画再生時間を変化させた静止画再生をすることができる。
【０１３５】
また、静止時間指定情報データ６６Ｅが、静止時間が指定された静止時間指定情報と静止時間が指定されない静止時間指定情報とを含んでいるので、夫々の静止時間指定情報データ６６Ｅに基づいて再生制御することにより、製作者の意図するときに時間を指定した静止画再生ができると共に、静止画再生停止が指定されるまで静止画再生を継続することができる。
【０１３６】
更に、静止画再生情報６６はセル再生制御情報データ６６Ｄを更に含んでいるので、記録情報Ｒの再生時にＧＯＰ５２毎に静止画再生を行うことができる。
更にまた、静止画再生情報６６が、ＤＶＤ１の内周部に記録されているので、記録情報Ｒの再生に先立ち一括して静止画再生情報６６に含まれるセル再生制御情報データ６６Ｄ又は静止時間指定情報データ６６Ｅを取得できる。このとき、一のセル２０に対して複数の静止画再生情報６６が存在するときは、その中から静止画再生情報６６を選択することにより、所望のセル再生制御情報データ６６Ｄ又は静止時間指定情報データ６６Ｅを選択取得でき、一のセル２０に対して複数種類の静止画再生の態様が可能となる。
【０１３７】
次に、上記再生装置Ｓ2 の動作におけるステップＳ１４の動作において、視聴者の意図により静止画再生を停止する解除信号を含む入力信号Ｓinが入力部９８のスティルキー９８Ａ又はポーズキー９８Ｂから入力された場合の動作の他の実施形態、並びにステップＳ１３において、視聴者の意図により静止画再生中の指定時間以前に静止画再生を停止する解除信号を含む入力信号Ｓinが入力部９８のスティルキー９８Ａ又はポーズキー９８Ｂから入力された場合の動作の実施形態について、図１０及び図１１を用いて説明する。
【０１３８】
ここで、夫々の場合に静止画再生を停止する解除信号を含む入力信号Ｓinが入力部９８のスティルキー９８Ａ又はポーズキー９８Ｂから入力されたときの動作を纏めると、図１０（ａ）に示すようになる。
【０１３９】
すなわち、図８に示す再生装置Ｓ2 において、ステップＳ１３の時間指定静止中にスティルキー９８Ａが操作された場合又はポーズキー９８Ｂが操作された場合には、製作者の意図を反映すべくその操作は無効となり、指定時間が経過するまで静止画再生が継続されれるとともに、後述の操作無効表示が行われる。
【０１４０】
一方、ステップＳ１４の無限時間静止中にスティルキー９８Ａが操作された場合又はポーズキー９８Ｂが操作された場合には、視聴者の意図を反映すべくその操作は有効となり、上述したように静止画再生を終了して次のセル２０の再生に移行し（図９ステップＳ１５及びＳ１６）、後述の操作有効表示が行われる。
【０１４１】
更に、静止画再生中でない通常の再生中にスティルキー９８Ａが操作された場合には、そのタイミングで静止画再生（スティル画面）とし、ポーズキー９８Ｂが操作された場合には、そのタイミングで映像信号Ｓvpを表示部に出力しない動作（表示部では、いわゆるポーズ画面となる。）が実行される。
【０１４２】
次に、上記の動作を図１０（ｂ）に示すフローチャートに基づいて説明すると、始めに、いずれかのキー入力がされると（ステップＳ２０）、それがスティルキー９８Ａであるか否かが判定され（ステップＳ２１）、スティルキー９８Ａである場合には（ステップＳ２１；ＹＥＳ）、次に、時間指定静止中（図９ステップＳ１３）か否かが判定され（ステップＳ２２）、時間指定静止中である場合には（ステップＳ２２；ＹＥＳ）、スティルキー９８Ａの操作を無効としてその旨の表示を行い（ステップＳ２３）、処理を終了する。
【０１４３】
この場合の無効である旨の表示とは、例えば、静止画再生間までの残り時間を表示したり、又はビープ音等を発生して視聴者に警告することとなる。
一方、ステップＳ２２における判定において、時間指定静止中でない場合には（ステップＳ２２；ＮＯ）、次に、無限時間静止中であるか否かが判定される（ステップＳ２４）。そして、無限時間静止中であるときには（ステップＳ２４；ＹＥＳ）、スティルキー９８Ａの操作を有効としてその旨の表示を行い（ステップＳ２５）、処理を終了する。
【０１４４】
この場合の有効である旨の表示とは、例えば、静止画再生を終了して次のセル２０の再生に移行するか（図９ステップＳ１５及びＳ１６）、又は静止画再生を停止していわゆるブルーバック表示（表示画面全体を青くする。）、スケルチ表示（映像信号Ｓvpを表示しない画面表示とする。）或は、いわゆるスクリーンセーバ表示（表示画面の焼きつきを防止するために、予め設定された（再生中の映像に全く無関係の）所定の映像を出力する。）等を行うこととなる。
【０１４５】
なお、上記操作有効表示を行った後に通常の再生動作に移行することも可能である。その場合には、例えば、無限時間静止中にスティルキー９８Ａが操作されたときは上記の操作有効表示を行い、その後更にスティルキー９８Ａが操作されると、もとの無限時間静止画再生に戻り、その後更にスティルキー９８Ａが操作されると、通常の動画再生動作に戻るように処理される。
【０１４６】
次に、ステップＳ２４における判定において、無限時間静止中でない場合には（ステップＳ２４；ＮＯ）、次に、通常再生中であるか否かが判定される（ステップＳ２６）。そして、通常再生中である場合には（ステップＳ２６；ＹＥＳ）、スティルキー９８Ａの操作を有効としてその本来の機能である静止画再生を行うべく、スティルキー９８Ａが操作されたタイミングでスティル画面の表示を行い（ステップＳ２７）、処理を終了する。
【０１４７】
一方、ステップＳ２６における判定において、通常再生中でない場合には（ステップＳ２６；ＮＯ）、次のキー入力を待つためにステップＳ２０へ移行する。
更に、上記ステップＳ２１における判定において、スティルキー９８Ａでない場合には（ステップＳ２１；ＮＯ）、次に、操作されたのがポーズキー９８Ｂであるか否かが判定される（ステップＳ２８）。そして、ポーズキー９８Ｂである場合には（ステップＳ２８；ＹＥＳ）、次に、時間指定静止中か否かが判定され（ステップＳ２９）、時間指定静止中である場合には（ステップＳ２９；ＹＥＳ）、ステップＳ２３を実行し、処理を終了する。
【０１４８】
一方、ステップＳ２９における判定において、時間指定静止中でない場合には（ステップＳ２９；ＮＯ）、次に、無限時間静止中であるか否かが判定される（ステップＳ３０）。そして、無限時間静止中であるときには（ステップＳ３０；ＹＥＳ）、ステップＳ２５を実行し、処理を終了する。
【０１４９】
次に、ステップＳ３０における判定において、無限時間静止中でない場合には（ステップＳ３０；ＮＯ）、次に、通常再生中であるか否かが判定される（ステップＳ３１）。そして、通常再生中である場合には（ステップＳ３１；ＹＥＳ）、ポーズキー９８Ｂの本来の機能である静止画再生機能を有効とすべくポーズ画面を表示して（ステップＳ３２）、処理を終了する。
【０１５０】
一方、ステップＳ３１における判定において、通常再生中でない場合には（ステップＳ３１；ＮＯ）、次のキー入力を待つためにステップＳ２０へ移行する。
以上説明したように、時間指定静止中においては、スティルキー９８Ａ又はポーズキー９８Ｂの操作を無効として当該指定時間が経過するまで静止画再生を継続すると共に、無限時間静止中のおいては、スティルキー９８Ａ又はポーズキー９８Ｂの操作を有効とすることにより、静止画指定時間が不用意に短縮されることを防止できると共に、無限時間静止中においては、視聴者の意図により当該静止画再生を停止することができる。
【０１５１】
よって、記録情報Ｒの製作者の意図を反映した再生ができると共に、視聴者の意志を反映した再生を行うことができる。
また、スティルキー９８Ａ又はポーズキー９８Ｂが操作された夫々の場合に、有効であることを示す有効表示又は無効であることを示す無効表示を行うので、夫々の場合に、スティルキー９８Ａ又はポーズキー９８Ｂが操作が有効であったか又は無効であったかを視聴者が認識することができる。
【０１５２】
なお、図１０（ｂ）に示すフローチャートにおいては、図８に示す再生装置Ｓ2 の如く入力部９８がスティルキー９８Ａ及びポーズキー９８Ｂを備えている場合について示したが、この他に、入力部にスティルキーとポーズキー兼用の一の一時停止キーを備えている再生装置においては、上記の各動作については、図１０（ａ）に示すように、時間指定静止中に当該一時停止キーが操作とされた場合にはその操作を無効として無効表示を行い、無限時間静止中に一時停止キーが操作とされた場合にはその操作を有効として有効表示を行うこともできる。
【０１５３】
その場合の動作を図１１に示すフローチャートを用いて説明すると、始めに、一時停止キーが操作されたか否かが判定され（ステップＳ４０）、その後は、図１０（ｂ）に示すステップＳ２２乃至Ｓ２６の動作が行われる。
【０１５４】
そして、ステップＳ２６における判定において、通常再生中でるときには（ステップＳ２６；ＹＥＳ）、一時停止に対応するスティル画面又はポーズ画面を表示して（ステップＳ４１）、処理を終了する。
【０１５５】
以上の動作によれば、スティルキーとポーズキーの双方を備えていない再生装置においても、図１０（ｂ）に示す再生装置Ｓ2 と同様の効果を得ることができる。
【０１５６】
なお、これまで説明した各実施形態おいては、ＤＶＤ１に記録情報Ｒを記録し、これを再生する場合を説明したが、本発明はこれに限らず、ＤＶＤ１以外の種々の情報記録媒体に対して適用可能である。
【０１５７】
【発明の効果】
以上説明したように、請求項１に記載の発明によれば、静止時間情報を含む付加情報が処理部分記録情報と共に記録されるので、記録情報の再生時において、静止時間情報に基づいて部分記録情報最終画像を静止画再生することにより、当該部分記録情報最終画像を動画としても静止画としても再生することができると共に、部分記録情報毎に製作者の意図により静止画再生時間を変化させた静止画再生をすることができる。
【０１５８】
従って、記録情報の再生時において、記録すべき情報量を低減しつつ、変化に富んだ記録情報の再生を行うことができる。
請求項２に記載の発明によれば、請求項１に記載の発明の効果に加えて、静止時間情報が、時間指定静止時間情報又は無限静止時間情報の少なくともいずれか一方を含んでいるので、夫々の静止時間情報に基づいて再生制御することにより、製作者の意図により時間を指定した静止画再生ができると共に、静止画再生停止が指定されるまで静止画再生を継続することができる。
【０１５９】
請求項３に記載の発明によれば、請求項１又は２に記載の発明の効果に加えて、付加情報は静止指定情報を更に含んでいるので、製作者の意図により記録情報の再生時に分割部分記録情報毎に静止画再生を行うことができる。
【０１６０】
請求項４に記載の発明によれば、請求項１から３のいずれか一項に記載の発明の効果に加えて、付加情報は同一の部分記録情報に対応する複数の静止時間情報を含み、多重手段は付加情報を情報記録媒体上の記録情報が記録される部分とは異なる記録位置であって、記録情報の再生に先立って再生される記録位置に記録するべく処理記録情報と付加情報とを多重するので、一の部分記録情報について静止時間情報に対応する数の複数の再生状態で再生させることができ、更に、記録情報の再生に先立ち一括して付加情報に含まれる静止時間情報又は静止指定情報を選択取得できる。
【０１６１】
従って、当該静止時間情報又は静止指定情報を予め取得することにより効率的に静止画再生が行えると共に、記録情報と静止時間情報又は静止指定情報とが混同して再生されることによる静止画再生の誤動作を防止でき、更に、一の部分記録情報について複数の再生状態で再生させることができる。
【０１６２】
請求項５に記載の発明の情報記録媒体によれば、夫々の部分記録情報に対して所定の信号処理を施すことにより生成される処理部分記録情報と、夫々の部分記録情報を再生した後、部分記録情報最終画像を静止画再生する時間を示す静止時間情報を含む付加情報とが多重された構造を備えているので、記録情報の再生時において、静止時間情報に基づいて部分記録情報最終画像を静止画再生することにより、当該部分記録情報最終画像を動画としても静止画としても再生することができると共に、部分記録情報毎に製作者の意図により静止画再生時間を変化させた静止画再生をすることができる。
【０１６３】
従って、記録情報の再生時において、記録すべき情報量を低減しつつ、変化に富んだ記録情報の再生を行うことができる。
請求項６に記載の発明によれば、請求項５に記載の発明の効果に加えて、静止時間情報は時間指定静止時間情報又は無限静止時間情報の少なくともいずれか一方とを含んでいるので、夫々の静止時間情報に基づいて再生制御することにより、製作者の意図により時間を指定した静止画再生ができると共に、静止画再生停止が指定されるまで静止画再生を継続することができる。
【０１６４】
請求項７に記載の発明によれば、請求項５又は６に記載の発明の効果に加えて、付加情報は静止指定情報を更に含んでいるので、製作者の意図により記録情報の再生時に分割部分記録情報毎に静止画再生を行うことできる。
【０１６５】
請求項８に記載の発明によれば、請求項５から７のいずれか一項に記載の発明の効果に加えて、付加情報は同一の部分記録情報に対応すると共に相互に異なる複数の静止時間情報を含み、更に、記録情報の再生時において、当該記録情報の再生に先立って再生される記録位置であって、記録情報の記録位置とは異なった情報記録媒体上の記録位置に記録されているので、一の部分記録情報について静止時間情報に対応する数の複数の再生状態で再生させることができ、更に、記録情報の再生に先立ち一括して付加情報に含まれる静止時間情報又は静止指定情報を選択取得できる。
【０１６６】
従って、当該静止時間情報又は静止指定情報を予め取得することにより効率的に静止画再生が行えると共に、記録情報と静止時間情報又は静止指定情報とが混同して再生されることによる静止画再生の誤動作を防止でき、更に、一の部分記録情報について複数の再生状態で再生させることができる。
【０１６７】
請求項９に記載の発明によれば、静止時間情報に基づいて部分記録情報最終画像を静止画再生することにより、当該部分記録情報最終画像を動画としても静止画としても再生することができると共に、部分記録情報毎に製作者の意図により静止画再生時間を変化させた静止画再生をすることができる。
【０１６８】
従って、記録すべき情報量を低減しつつ、変化に富んだ記録情報の再生を行うことができる。
請求項１０に記載の発明によれば、請求項９に記載の発明の効果に加えて、付加情報は静止指定情報を更に含むと共に、制御手段は、静止指定情報に基づいて、分割部分記録情報毎に最後の画像の静止画再生を制御するので、製作者の意図により分割部分記録情報毎に静止画再生を行うことができる。
【０１６９】
請求項１１に記載の発明によれば、請求項９又は１０に記載の発明の効果に加えて、付加情報が同一の部分記録情報に対応する複数の静止時間情報を含むと共に、付加情報以外の記録情報の再生に先立って再生されるので、一の部分記録情報について静止時間情報に対応する数の複数の再生状態で再生させることができ、更に、記録情報の再生に先立ち一括して付加情報に含まれる静止時間情報又は静止指定情報を選択取得できる。
【０１７０】
従って、当該静止時間情報又は静止指定情報を予め取得することにより効率的に静止画再生が行えると共に、記録情報と静止時間情報又は静止指定情報とが混同して再生されることによる静止画再生の誤動作を防止でき、更に、一の部分記録情報について複数の再生状態で再生させることができる。
【０１７１】
請求項１２に記載の発明によれば、請求項９から１１のいずれか一項に記載の発明の効果に加えて、静止時間情報は時間指定静止時間情報又は無限静止時間情報の少なくともいずれか一方を含み、制御手段は、時間指定静止時間情報又は無限静止時間情報に基づいて部分記録情報最終画像の静止画再生を制御するので、製作者の意図により時間を指定した静止画再生ができると共に、視聴者から静止画再生停止が指定されるまで静止画再生を継続することができる。
【０１７２】
請求項１３に記載の発明によれば、請求項１２に記載の発明の効果に加えて、時間指定静止時間情報に基づいて部分記録情報最終画像の静止画再生が行われている場合には、静止画再生解除信号を無効とするので、当該時間指定静止時間情報により指定されている静止画再生時間が不用意に短縮されることを防止できると共に、無限静止時間情報に基づいて部分記録情報最終画像の静止画再生が行われている場合には、静止画再生解除信号を有効とするので、視聴者の意図により当該静止画再生を停止することができる。
【０１７３】
よって、記録情報の製作者の意図を反映した再生ができると共に、視聴者の意志を反映した記録情報の再生を行うことができる。
請求項１４に記載の発明によれば、請求項１３に記載の発明の効果に加えて、制御手段は、時間指定静止時間情報に基づいて部分記録情報最終画像の静止画再生が行われている場合に、入力手段から静止画再生解除信号が入力されたとき、当該静止画再生解除信号が無効である旨の表示を行うので、当該場合に、静止画再生解除を示す静止画再生解除信号が無効であったことを認識することができる。
【０１７４】
よって、視聴者が動作状態を理解しやすい記録情報の再生を行うことができる。
請求項１５に記載の発明によれば、請求項１３に記載の発明の効果に加えて、制御手段は、無限静止時間情報に基づいて部分記録情報最終画像の静止画再生が行われている場合に、入力手段から静止画再生信号が入力されたとき、当該静止画再生信号が有効である旨の表示を行うので、当該場合に、静止画再生解除を示す静止画再生解除信号が有効であったことを認識することができる。
【０１７５】
よって、視聴者が動作状態を理解しやすい記録情報の再生を行うことができる。
【図面の簡単な説明】
【図１】記録情報の物理構造（物理フォーマット）を示す図である。
【図２】ＧＯＰを構成するフレーム画像を示す図である。
【図３】記録情報の論理構造（論理フォーマット）を示す図である。
【図４】ＰＧＣＩの細部構成を示す図である。
【図５】静止画再生情報の構成を示す図である。
【図６】インターリーブドユニットに分割された記録情報の構成を示す図である。
【図７】記録装置の構成を示す図である。
【図８】再生装置の構成を示す図である。
【図９】実施形態の静止画再生動作を示すフローチャートである。
【図１０】実施形態のスティルキー及びポーズキーが操作されたときの動作を示す図であり、（ａ）はスティルキー及びポーズキーが操作されたときの動作を纏めた図であり、（ｂ）はスティルキー及びポーズキーが操作されたときの動作を示すフローチャートである。
【図１１】スティルキー及びポーズキーの双方を有しない再生装置における動作を示すフローチャートである。
【符号の説明】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオデータ
４３…オーディオデータ
４４…サブピクチャデータ
５０…ＰＣＩデータ
５１…ＤＳＩデータ
５２…ＧＯＰ
６０…プログラム
６１、６１Ａ、６１Ｂ…ＰＧＣ
６２…タイトル
６３…ＶＴＳ
６４…ＰＧＣＩ
６５…セルインフォメーション
６６…静止画再生情報
６６Ａ…セル数データ
６６Ｂ…セル先頭アドレスデータ
６６Ｃ…セルサイズデータ
６６Ｄ…セル再生制御情報データ
６６Ｅ…静止時間指定情報データ
７０…ＶＴＲ
７１…メモリ
７２…信号処理部
７３、７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９８Ａ…スティルキー
９８Ｂ…ポーズキー
９９…ディスプレイ
１００…システムコントローラ
１０１…ドライブコントローラ
１０２…スピンドルモータ
１０３…スライダモータ
Ｂ…光ビーム
Ｓ1 …記録装置
Ｓ2 …再生装置
ＳＴ…キューシート
Ｓr …圧縮多重信号
Ｓi …制御情報信号
Ｓd …駆動信号
Ｓac…再生制御情報信号
Ｓa …付加情報信号
Ｓcc…情報選択信号
Ｓm …ディスク記録信号
Ｓap…情報付加圧縮多重信号
Ｓp …検出信号
Ｓdm…復調信号
Ｓsw1 、Ｓsw2 …スイッチ信号
Ｓin…入力信号
Ｓdp…表示信号
Ｓcsl …シームレス制御信号
Ｓc …制御信号
Ｓlc…ストリーム選択信号
Ｓca…ポーズ信号
Ｓch…ハイライト制御信号
Ｓhi…ハイライト信号
Ｓpci …ＰＣＩ情報信号
Ｓpc…ＰＣＩ信号
Ｓad…オーディオ信号
Ｓsp…副映像信号
Ｓv …ビデオ信号
Ｓvd…復調ビデオ信号
Ｓspd …復調副映像信号
Ｓadd …復調オーディオ信号
Ｓvp…映像信号
Ｓhid …復調ハイライト信号
Ｔt …タイムコード
Ｒ…記録情報
【図１】
0003729920.tif 000004
【図２】
0003729920.tif 000005
【図３】
0003729920.tif 000006
【図４】
0003729920.tif 000007
【図５】
0003729920.tif 000008
【図６】
0003729920.tif 000009
【図７】
0003729920.tif 000010
【図８】
0003729920.tif 000011
【図９】
0003729920.tif 000012
【図１０】
0003729920.tif 000013
【図１１】
0003729920.tif 000014